(57)【要約】【課題】ネット状の薬剤保持体に揮散性薬剤を効率良く多量に拡散・含浸させて、害虫防除効果等の向上を図ると共に、加えて製造時等の揮散性薬剤の供給効率を高めることができる薬剤揮散装置を提供する。【解決手段】薬剤保持体１３が、薬剤揮散装置１０の揮散性薬剤供給部１８ａ、１８ｂの平板部２５ａ、２５ｂの面部と皿形状部２０ａ、２０ｂの底部との間に挟まれて位置しており、そしてその皿形状部２０ａ、２０ｂの底部には複数の貫通孔３２が設けられている。【選択図】図４
2010029173.tif 000002
【特許請求の範囲】
【請求項１】
揮散性薬剤を保持するための薬剤保持体と、揮散口を有して当該薬剤保持体を収納保持する容器と、を備えた薬剤揮散装置において、
前記薬剤保持体に前記揮散性薬剤を供給して前記揮散性薬剤を保持させるため、前記容器には、平板部及び皿形状部を有した揮散性薬剤供給手段が少なくとも１つ設けられていると共に、前記薬剤保持体は、当該平板部の面部と当該皿形状部の底部との間に挟まれて位置されており、そして  前記皿形状部の前記底部には、複数の貫通孔が設けられていることを特徴とする薬剤揮散装置。
【請求項２】
前記複数の貫通孔は、前記皿形状部の前記底部の縁部近傍に、周方向にわたって略等間隔に配設されていることを特徴とする請求項１に記載の薬剤揮散装置。
【請求項３】
用時に前記薬剤揮散装置を所定の設置箇所に保持するため、着脱自在な保持手段を更に備えることを特徴とする請求項１又は２に記載の薬剤揮散装置。
【請求項４】
前記保持手段は、略コ字形状の板部材により形成されており、そして当該板部材の互いに対向する側板部の中央部各々には、スリットを介して折り曲げ自在なスタンド用片が設けられていることを特徴とする請求項１〜３のいずれか１つに記載の薬剤揮散装置。
【請求項５】
揮散性薬剤と共に、薬剤保持体に該揮散性薬剤を拡散・含浸させるために漏れ防止として無機粉が含有されたことを特徴とする組成物。
【請求項６】
請求項５記載の組成物を前記揮散性薬剤供給手段に供給することにより、前記揮散性薬剤が前記薬剤保持体に拡散して含浸し、前記無機粉が前記揮散性薬剤供給手段に留まるようになることを特徴とする請求項１記載の薬剤揮散装置。
【請求項７】
常温液状のアルカン又はシクロアルカンを安定化作用成分として含むシクロプロパンカルボン酸誘導体の光・紫外線安定化剤。
【請求項８】
前記揮散性薬剤に請求項７記載の光・紫外線安定化剤を含有させたことを特徴とする請求項１記載の薬剤揮散装置。
【発明の詳細な説明】
【技術分野】
【０００１】
第１発明は、揮散性薬剤を保持するための薬剤保持体と、揮散口を有してこの薬剤保持体を収納保持する容器と、を備えた薬剤揮散装置に関し、特にハエ、コバエ、カ、ブヨ等の飛翔性害虫を防除するのに好適な薬剤揮散装置に関する。
また、第２発明は、第１発明の揮散性薬剤の漏れ防止に有効な揮散性薬剤に関する。
そして、第３発明は、第１発明の揮散性薬剤の光及び／又は紫外線劣化を防止するのに有効な光・紫外線安定化剤に関する。
【背景技術】
【０００２】
〈従来の薬剤揮散装置〉
従来、例えばネット状の薬剤保持体に含まれる揮散性薬剤を雰囲気中に揮散させる装置としては、図９に示すように、揮散性薬剤が含浸された薬剤保持体１０５を、チャンバ１０６内に収納保持した装置１００等が知られている（例えば、特許文献１参照）。この薬剤保持体１０５は、枠体１０１と、この枠体１０１の中央に配置された板状の中央部１０２と、この中央部１０２から枠体に延びる桟１０３と、枠体１０１と中央部１０２と桟と１０３により区画される開口部に架け渡されたネット状部材１０４とを有しており、例えば製造時において、この枠体１０１の中央部１０２の一方の平面に揮散性薬剤が滴下（供給）されることで、中央部１０２及び桟１０３を通じてネット状部材１０４に揮散性薬剤が含浸される。
【０００３】
なお、この装置１００では、その薬剤保持体１０５が、チャンバ１０６内に収納されたファン（不図示）により発生された気流が当てられて、この結果、その揮散性薬剤の有効成分がチャンバ１０６外へ放出される構成であるが、この他にもファンを用いずに自然揮散させる装置も一般的に知られている。
【０００４】
〈従来の漏れ防止対策〉
また、従来、いわゆる殺虫マットなるマット状製剤が知られていた。
この製剤は、これを製造するに当たりマットの中心部にノズルから薬液を滴下していた。この際薬液には、殺虫成分を均一にマット中に浸透させるためにピペロニルブトキサイドを配合していた。ところで最近になって薬液を通気性シートに滴下して製造する送風式薬剤カートリッジが知られるようになってきた。そして薬剤カートリッジは、気体が通過する孔の断面積が大きいものは、薬液を滴下させたときに、該液が該保持材を通過して下に垂れてしまうので、このため薬液を滴下させたときに保持材の下に受け皿等を設けて薬液を損失しないようにしていた。
しかしながら、かかる受け皿にはその大きさを大きくできない製造上の制約が自ずとあるため、どうしても受けきらない量の薬液が滴下されたときには、殺虫成分の特定溶媒が配合された薬液では受け皿から薬液が溢れてしまい、薬剤カートリッジをうまく製造することができなかった。
【０００５】
〈従来の紫外線劣化防止対策〉
また、従来、シクロプロパンカルボン酸誘導体は、熱や光、更に酸素による酸化等により安定性が悪いため、シクロプロパンカルボン酸誘導体自体、より安定な誘導体としての合成が検討される一方シクロプロパンカルボン酸誘導体を有効成分とする組成物中のその化合物を安定化するために、該組成物に酸化防止剤等の化合物を添加したり、該組成物を冷暗所に貯蔵したり、該組成物を密封状態にするパッケージに入れたり、シクロプロパンカルボン酸誘導体をマイクロカプセルに封入した剤型にすることがなされ、各種薬剤組成物としても使用されていた。例えば、シクロプロパンカルボン酸誘導体自体に紫外線吸収剤であるベンゾフェノン系誘導体、トリアゾール系誘導体、置換アクリロニトリル系化合物、立体障害アミン等の添加（特開昭５９−３９８０７号を参照）が知られている。
【０００６】
【特許文献１】特開２００１−１９７８５６号公報（図１）
【特許文献２】特開２００１−１９２３０９号公報
【特許文献３】特開昭５９−３９８０７号公報
【発明の開示】
【発明が解決しようとする課題】
【０００７】
〈従来の薬剤揮散装置の課題〉
ところで、通常、ネット状部材を有した薬剤保持体（ネット状の薬剤保持体）に揮散性薬剤を保持させる場合、揮散性薬剤をネット状部材に直接滴下すると揮散性薬剤がネット状部材を通過して垂れてしまい、ネット状部材に効率よく薬剤を含浸・拡散させることができない問題があった。
【０００８】
そこで、前述した通り、特許文献１では、この問題を解決するため、枠体１０１の中央部１０２の一方の平面に薬剤を滴下し、中央部１０２及び桟１０３を経てネット状部材１０４に揮散性薬剤を供給することで、ネット状部材１０４に揮散性薬剤を効率良く含浸・拡散させるように構成されている。しかしながら、この種の装置は一般的に限られた時間内での使用を想定されたものであるため、そのネット状部材１０４のサイズは比較的小さいもので十分であるが、一方自然揮散させるもの等においては、所定の箇所（屋外、トイレ等）に据え置かれて長時間にわたって使用されるものが多く、したがって、薬剤保持体についてはそのサイズがより大きいものを採用する必要がある。このため、薬剤保持体へ揮散性薬剤を多量に含浸させる必要があり、その揮散性薬剤の含浸方法の更なる向上が求められ、そして、製造時等において、薬剤保持体に揮散性薬剤を効率よく供給することが求められていた。
【０００９】
本発明は前述した事情に鑑みてなされたものであり、第１発明の課題は、ネット状の薬剤保持体に揮散性薬剤を効率良く多量に含浸・拡散させて、害虫防除効果等の向上を図ると共に、加えて製造時等の揮散性薬剤の供給効率を高めることができる薬剤揮散装置を提供することにある。
【００１０】
〈従来の漏れ防止対策の課題〉
また、通風性基材（薬剤保持体）に薬液を滴下して蒸散材を製造する際に、受け皿の大きさによっては、滴下した薬液を多くしたり、振動などが加わると滴下した薬液が受け皿からあふれてしまい、したがって通風性基材に薬液を効率よく拡散・含浸させることができないことがあった。第２発明はこれらの課題を解決するもので、受け皿の大きさが小さくても、滴下した薬液を多くしても、振動などが加わっても、滴下した薬液が受け皿からあふれることのない、したがって通風性基材（薬剤保持体）に薬液を効率よく拡散・含浸させることができるようにすることを第２の課題とする。
【００１１】
〈従来の紫外線劣化防止対策の課題〉
また、前記のシクロプロパンカルボン酸誘導体自体に紫外線吸収剤であるベンゾフェノン系誘導体、トリアゾール系誘導体、置換アクリロニトリル系化合物、立体障害アミン等を添加した従来知られている紫外線吸収剤（後述する表３の比較例２および３参照）では十分な安定化効果が得られず、コスト的にも満足できるものではなかった。
そこで、第３発明は大きな光量を受け、特に紫外線に曝されるような場所であっても、シクロプロパンカルボン酸誘導体の安定性を高め、かつそれにより効力の持続性を大きくすることができる安定化剤を提供することを第３の課題とするものである。
【課題を解決するための手段】
【００１２】
〈第１の課題を解決する手段〉
前述した第１の課題は、下記の構成により達成される。
（１）  揮散性薬剤を保持するための薬剤保持体と、揮散口を有して当該薬剤保持体を収納保持する容器と、を備えた薬剤揮散装置において、
前記薬剤保持体に前記揮散性薬剤を供給して前記揮散性薬剤を保持させるため、前記容器には、平板部及び皿形状部を有した揮散性薬剤供給手段が少なくとも１つ設けられていると共に、
前記薬剤保持体は、当該平板部の面部と当該皿形状部の底部との間に挟まれて位置されており、そして前記皿形状部の前記底部には、複数の貫通孔が設けられていることを特徴とする薬剤揮散装置。
（２）  前記複数の貫通孔は、前記皿形状部の前記底部の縁部近傍に、周方向にわたって略等間隔に配設されていることを特徴とする上記（１）の薬剤揮散装置。
（３）  使用時に前記薬剤揮散装置を所定の設置箇所に保持するため、着脱自在な保持手段を更に備えることを特徴とする上記（１）又は（２）の薬剤揮散装置。
（４）  前記保持手段は、略コ字形状の板部材により形成されており、そして
当該板部材の互いに対向する側板部の中央部各々には、スリットを介して折り曲げ自在なスタンド用片が設けられていることを特徴とする上記（１）〜（３）のいずれか１つの薬剤揮散装置。
【００１３】
上記（１）の構成によれば、薬剤保持体が、揮散性薬剤供給手段の平板部の面部と皿形状部の底部との間に挟まれて位置しており、そしてその皿形状部の底部には複数の貫通孔が設けられている。このため、揮散性薬剤の供給を行う際には、まず皿形状部に揮散性薬剤が注入され、この皿形状部に一時的に貯留した揮散性薬剤が、その底部に設けられた複数の貫通孔を介して、薬剤保持体に供給されることになる。このとき、薬剤保持体が、揮散性薬剤供給手段の平板部の面部と皿形状部の底部との間に挟まれているので、例えば毛細管現象に従って、揮散性薬剤がこの挟持部分の面方向で放射状に薬剤保持体に拡がって
拡散・含浸されていくことになる。したがって、ネット状の薬剤保持体に揮散性薬剤を効率良く多量に拡散・含浸させることができるので、害虫防除効果の向上を図ることができる。加えて製造時等の揮散性薬剤の供給効率を高めることができる。なお、皿形状部の内径は約１０〜２０ｍｍが好適である。また貫通孔の径は約１〜３ｍｍ、そして、その個数は４〜８個が好適である。なお、皿形状部内の面積が、約７５〜３５０ｍｍ2程度であれば、皿形状は円形に限られず各種形状にすることができる。
上記（２）の構成によれば、複数の貫通孔が皿形状部の底部の縁部近傍に、周方向にわたって略等間隔に配設されているので、底部の中央部に設けた場合と比較して、貫通孔を介した薬剤保持体への供給量と薬剤保持体の挟持部分を介した薬剤保持体全体への含浸量とのバランスを適切に調整することができ、揮散性薬剤の垂れを防止して、ネット状の薬剤保持体に揮散性薬剤をさらに効率良く拡散・含浸させることができる。また、製造時等、揮散性薬剤の垂れを防止することができるので、無駄を防止することができて供給効率を高めることができる。
上記（３）の構成によれば、着脱自在な保持手段を更に備えることにより、薬剤揮散装置が必要とされる設置箇所（例えば、屋外、トイレ等）に適宜設置することができて、取扱性の向上を図ることができる。
上記（４）の構成によれば、保持手段が略コ字形状の板部材により形成され、且つこの板部材の互いに対向する側板部の中央部各々には、スリットを介して折り曲げ自在なスタンド用片が設けられているので、この保持手段は所謂ハンガーとしてぶら下げて用いたり、或いは薬剤揮散装置から取り外してから所謂スタンドとしてテーブルや机等に立てたりして用いることができて、さらに取扱性の向上を図ることができる。
【００１４】
ここで、ハエ、コバエ、カ、ブヨ等の飛翔性害虫等の害虫に対して殺虫又は忌避の害虫防除効果を有する揮散性薬剤に適用される薬剤としては以下に述べるものを用いることができる。
【００１５】
薬剤として揮散性の害虫防除剤を用いることができ、例えば、エンペンスリン、トランスフルトリン、メトフルトリン、プロフルトリン等のピレスロイド系化合物、そしてフェニトロチオン、ダイアジノン、マラソン、ピリダフェンチオン、プロチオホス、ホキシム、クロルピリオス、ジクロルボス等の有機リン系化合物、等を用いることもできる。
この中でも、トランスフルトリン、メトフルトリン、プロフルトリンがよく、これらを組み合わせたもの、特にメトフルトリン、プロフルトリンを併用するのがよい。
【００１６】
また、薬剤は、液状のものはそのまま用いてもよいが、薬剤保持体への拡散性、含浸性等を高めるために溶剤を用いて溶液の形態としてもよい。溶剤としては、例えば、流動パラフィン、フタル酸ジエチル、セバシン酸ジブチル等を用いることができ、その粘度は１〜１０ｍｍ2／Ｓ（４０℃）ＣｓＴがよい。
【００１７】
さらに、塩化セチルピリジウム、イソプロピルメチルフェノール、グルコン酸クロルヘキシジン、エタノール、イソプロパノール、フェノキシエタノール、パラベン類、クロロオシレノール、チモール等の除菌・殺菌成分、ＢＨＴ、ＢＨＡ、アスコルビン酸等の安定化剤、光安定化剤等を用いることができる。また、その多機能化又はその効力の向上のために、異なる用途の薬剤を併用してもよい。
【００１８】
そして、前述したような揮散性薬剤が含浸される薬剤保持体としては、効率よく自然揮散させる上で、薄型で前述の化合物の自然揮散が妨げられない構造のものを使用する。このような薬剤保持体は、その容積が小さくても揮散性に優れるので、ピレスロイド系化合物等が効率よく自然揮散し、その結果、優れた害虫防除効果および揮散効果を発揮する。
【００１９】
このような薬剤保持体としては、例えば、紙、糸（撚り糸等）、不織布、木材、パルプ、化学繊維、ポリエステル、ポリエチレン、ポリスチレン、ポリエチレンテレフタレート等の樹脂材料等の材質からなる、例えばネット、網（メッシュ）、レース地のように多数の連続的ないし断続的な空隙を有するようなネット状の薬剤保持体を使用することができる。
【００２０】
このように、揮散性薬剤が含浸された薬剤保持体は、本発明の装置に取付けられて、軒下、ベランダ、倉庫、室外、室内等に設置して、揮散性薬剤を自然揮散させる。これにより、揮散性薬剤が効率よく薬剤保持体から自然揮散し、そして容器に設けられた揮散口を介して容器外部の雰囲気中に揮散して、高い害虫防除効果および揮散効果を発揮する。
【００２１】
本発明に係る薬剤揮散装置は、例えば、シナハマダラカ、アカイエカ、コガタアカイエカ、ネッタイシマカ、ヒトスジシマカ、トウゴウヤブカ等の蚊；サシバエ等のハエ；シクロアブ、ウシアブ、メクラアブ、ゴマフアブ等のアブ；クロオオブユ、キアシオオブユ、アオキツメトゲブユ等のブユ；トクナガクロズカカ、オオシマヌカカ、ニワトリヌカカ等のヌカカ；キイロスズメバチ、セグロアシナガバチ、ミツバチ等のハチ；ハネアリ等のアリ、等の害虫に用いることができる。
【００２２】
前述では、主に害虫防除について説明したが、前述の薬剤に代えて、香料、精油を揮散性薬剤として用いることができる。この香料、精油は、周囲雰囲気中の環境改善だけではなく、害虫防除剤として用いることもできる。
ここで、香料、精油としては、例えば、リナロール、α―ピネン、β−ピネン、リモネン、ゲラニオール、シトラール、シトロネラール、ヒノキオイル、月桃オイル、ヒバオイル、スペアミントオイル、バジルオイル、バラオイル、ジャスミンオイル、ユーカリオイル、キュベバオイル、ハッカオイル、オレンジオイル、レモンオイル、グレープフルーツオイル、ライムオイル、ペチバーオイル、レモングラスオイル、ローズマリーオイル、ラベンダーオイル、イランイランオイル、ティートリーオイル、ボアドローズオイル、マジョラムオイル、ホップオイル、シソオイル、ベルガモットオイル、ゼラニウムオイル、ニ
ームオイル、防虫菊オイル、カモミールオイル、等を例示することができる。
【００２３】
〈第２の課題を解決する手段〉
前述した第２の課題を解決するため、第２発明は組成物に係り、揮散性薬剤と共に、薬剤保持体に該揮散性薬剤を拡散・含浸させるために漏れ防止として無機粉が含有されたことを特徴としている。
そして、その組成物を請求項１記載の薬剤揮散装置の揮散性薬剤供給手段に供給することにより、揮散性薬剤が薬剤保持体に拡散して含浸し、無機粉が揮散性薬剤供給手段に留まるようになることを特徴としている。
【００２４】
〈第３の課題を解決する手段〉
前述した第３の課題を解決するため、シクロプロパンカルボン酸誘導体の光・紫外線安定化剤が、常温液状のアルカン又はシクロアルカンを安定化作用成分として含むことを特徴とするものである。
また、前記揮散性薬剤にこの光・紫外線安定化剤を含有させたことを特徴とするものである。
【発明の効果】
【００２５】
〈第１発明の効果〉
第１発明によれば、ネット状の薬剤保持体に揮散性薬剤を効率良く多量に拡散・含浸させて、害虫防除効果等の向上を図ると共に、加えて製造時等の揮散性薬剤の供給効率を高めることができる薬剤揮散装置を提供することができる。
【００２６】
〈第２発明の効果〉
第２発明によれば、通風性基材に薬液を滴下して蒸散材を製造する際に、受け皿の大きさはそのままでも、無機粉により粘性が高くなっているので振動が生じても滴下した薬液が受け皿から漏れ出にくくなり、しかも揮散性薬剤は通風性基材に薬液を極めて効率よくもれなく拡散・含浸させることができるようになる。
【００２７】
〈第３発明の効果〉
第３発明によれば、安定化剤として常温液状のアルカン又はシクロアルカンを選択することにより、シクロプロパンカルボン酸誘導体を安定化せしめ、特に光や紫外線に対する安定性を大きくし、その組成物を光や紫外線に曝露された窓ガラス等の表面に塗布して大きな光量を受けても、シクロプロパンカルボン酸誘導体の安定性を高めてかつそれにより効力の持続性を大きくすることができる安定化剤が得られ、したがってまた、紫外線に曝されるような場所であっても性能が安定した薬剤揮散装置が得られる。
第３発明の安定化方法としては、常温液状のアルカン又はシクロアルカンをシクロプロパンカルボン酸誘導体に添加することにより上記の効果を有するようになる。
【発明を実施するための最良の形態】
【００２８】
以下、本発明に係る好適な実施形態について、図面を参照しながら説明する。
〈第１発明を実施するための最良の形態〉
図１〜図５は第１発明に係る薬剤揮散装置の一実施形態を示すものであり、図１は本発明の一実施形態に係る薬剤揮散装置の分解斜視図であり、図２は図１の薬剤揮散装置の組立後の外観斜視図であり、図３は図１の薬剤揮散装置の使用例を説明する外観斜視図であり、図４は揮散性薬剤供給部の断面図であり、図５は第１の揮散性薬剤供給部の周りの正面図である。
なお、今回開示される実施の形態は、すべての点で例示であって制限的なものではないと考えられるべきである。第１発明の範囲は、上記した意味ではなく、特許請求の範囲によって示され、特許請求の範囲と均等の意味および範囲内でのすべての変更が含まれることが意図される。
【００２９】
図１に示すように、薬剤揮散装置１０は、表容器１１と、裏容器１２と、ネット状の薬剤保持体１３と、保持部材（図２参照）１４と、を備えて構成される。
【００３０】
表容器１１は、成形がし易い、例えば、ポリプロピレン、ポリスチレン、ポリエステル、ポリエチレンテレフタレート、ポリカーボネート、ポリ塩化ビニル、アクリロ・ニトリル・ブタジエン・スチレン樹脂等の樹脂材料を用いて、前面板１５と、この前面板１５の周縁部から略直角に立設された周板１６と、からなり、前面板１５には、Ｖ字状をなす７個の前方揮散口１７が上下方向に略並列に設けられている。
【００３１】
そして、表容器１１には、この７個の前方揮散口１７のうちの、最上部に位置する前方揮散口１７の右方端部と、最下部に位置する前方揮散口１７の左方端部と、の２箇所に、略コ字形状にそれぞれ形成される、後述する第１の揮散性薬剤供給部１８ａの表部を構成するための第１の表供給部１９ａと、第２の揮散性薬剤供給部１８ｂの表部を構成するための第２の表供給部１９ｂと、がそれぞれ設けられている。
即ち、これら表供給部１９ａ、１９ｂは、その略コ字形状の端部で前方揮散口１７の縁部をそれぞれ上下方向で架け渡すように表容器１１の内方に屈曲した状態で形成されており、またその底板部それぞれには、皿形状部２０ａ、２０ｂが形成されている。
【００３２】
裏容器１２は、表容器１１と同様に、成形がし易い、例えば、ポリプロピレン、ポリスチレン、ポリエステル、ポリエチレンテレフタレート、ポリカーボネート、ポリ塩化ビニル、アクリロ・ニトリル・ブタジエン・スチレン樹脂等の樹脂材料を用いて、後面板２１と、この表面板２１の周縁部から略直角に立設された周板２２と、からなり、後面板２１には、７個のＶ字状をなす後方揮散口２３が上下方向に略並列に設けられている。
【００３３】
そして、裏容器１２には、この７個の後方揮散口２３のうちの、最上部に位置する後方揮散口２３の右方端部と、最下部に位置する後方揮散口２３の左方端部と、の２箇所に、略コ字形状にそれぞれ形成される、第１の揮散性薬剤供給部１８ａの裏部を構成するための第２の裏供給部２４ａと、第２の揮散性薬剤供給部１８ｂの裏部を構成するための第２の裏供給部２４ｂと、がそれぞれ設けられている。
即ち、これら裏供給部２４ａ、２４ｂは、その略コ字形状の端部で後方揮散口２３の縁部をそれぞれ上下方向で架け渡すように裏容器１２の内方に屈曲した状態で形成されており、またその底板部それぞれには、平板部２５ａ、２５ｂが形成されている。
【００３４】
薬剤保持体１３は、前述した通りの多数の連続的な空隙を有するようなネットとされ、例えば、細い線形状の複数の樹脂材を交差させたネット状部材として板形状に一体成形されている。
なお、薬剤保持体１３として、ネット状部材に代えて、浸透性のある紙材や不織布を用いて板形状に形成したものも適用できる。
【００３５】
図２に示すように、表容器１１及び裏容器１２は、その合体時に、表容器１１及び裏容器１２それぞれに設けられた複数の支持片（不図示）により薬剤保持体１３を挟持して収納保持し、そして、それぞれの周板１６，２２が接着剤等の接合手段により結合されることにより箱形状に構成される。
なお、表容器１１及び裏容器１２それぞれの両側部には、４（２＋２）箇所の切欠が合体時に互いに対向するようにそれぞれ設けられているので、その合体時に、周板１６、２２の上方側に一対の保持部材取付孔２６が互いに対向する位置で形成されることになる。
このため、保持部材取付孔２６に、保持部材１４が着脱自在に取り付けられ得る。
【００３６】
保持部材１４は、例えば可撓性を有する樹脂材料を用いて、略コ字形状の板部材により形成されており、この板部材の互いに対向する側板部２７の先端側には、保持部材取付孔２６に取り付けるための係止突起２８が設けられている。また、側板部２７の中央部には、スリット２９を介して折り曲げ自在なスタンド用片３０が設けられている。
【００３７】
保持部材１４は、係止突起２８が両容器１１、１２により形成された保持部材取付孔２６に係合されることで、例えば不図示のハンガーかけに掛止されることで、薬剤揮散装置１０は、その必要とされる設置箇所（例えば、屋外、トイレ等）に適宜設置される。
なお、保持部材１４は、コ字形状に代えて、単純なＵ字形状に形成されても良い。
【００３８】
また、図３に示すように、薬剤揮散装置１０は、保持部材１４の係止突起２８を保持部材取付孔２６に取り付けた使用例に加えて、保持部材１４を取り外した状態でも使用することもできる。即ち、両容器１１、１２から取り外された保持部材１４は、スタンド用片３０を上方に向けて、例えば机等に置かれ、その後、スリット２９を介してスタンド用片３０が、略９０度折り曲げられる。これにより、スタンド用片３０上に薬剤揮散装置１０が載置されることで、保持部材１４がスタンドとして機能し、ひっくり返らずに両容器１１、１２を起立させて薬剤揮散装置１０を安定的に所定の箇所に設置することができる。
【００３９】
そして、図４、図５に示すように、表供給部１９ａ、１９ｂの底板部の外方面それぞれには、注入される揮散性薬剤を一時的に貯留するため、その中央部に段部を有して略円形状の皿形状部（凹部）２０ａ、２０ｂが形成されおり、そして、この皿形状部２０ａ、２０ｂの底部の縁部近傍には、その円周方向にわたって略等間隔縁部の円周方向に等間隔に４個の貫通孔３２が形成されている。
一方、裏供給部２４ａ、２４ｂの底板部には前述したような段部又は貫通孔は設けられておらず、そのまま平板部２５ａ、２５ｂとして形成されている。
なお、図４は両揮散性薬剤供給部１８ａ、１８ｂの断面を示し、図５はそのうち第１の揮散性薬剤供給部１８ａを示している。
【００４０】
また、表容器１１及び裏容器１２の合体時には、薬剤保持体１３は、図４に示すように、裏供給部２４ａ、２４ｂの平板部２５ａ、２５ｂの面部と皿形状部の底部２０ａ、２０ｂとの間に挟まれて位置することになる。このとき、裏供給部２４ａ、２４ｂの平板部２５ａ、２５ｂ及び表供給部１９ａ、１９ｂの皿形状部２０ａ、２０ｂが薬剤保持体１３を挟んで対向配置することになり、このことにより、揮散性薬剤を薬剤保持体１３に供給及び拡散・含浸させるための揮散性薬剤供給部１８ａ、１８ｂそれぞれが構成されることになる。
【００４１】
即ち、このように構成された揮散性薬剤供給部１８ａ、１８ｂを用いた薬剤保持体１３への薬剤含浸方法としては、例えば製造時において、第１の揮散性薬剤供給部１８ａの第１の表供給部１９ａが第１の裏供給部２４ａに対し上方に位置するように、薬剤揮散装置１０を載置し、この状態で第１の表供給部１９ａの皿形状部２０ａに揮散性薬剤を注入する。この注入された揮散性薬剤は、皿形状部２０ａ内に一時的に貯留され、そして貫通孔３２を介して、薬剤保持体１３に供給される。このとき、平板部２５ａ、２５ｂ及びの皿形状部２０ａ、２０ｂにより形成された薬剤保持体１３の挟持面で、毛細管現象に従って、揮散性薬剤がこの挟持面の面方向で放射状に薬剤保持体１３に拡がって拡散・含浸される。第２の揮散性薬剤供給部１８ｂについても同様であるが、特に本実施形態では、揮散性薬剤供給部が２箇所に設けられているので、この揮散性薬剤供給部１８ａ、１８ｂが同時に用いられることにより、より効率よく揮散性薬剤を薬剤保持体１３に拡散・含浸することができる。
なお、揮散性薬剤供給部は、上述した上下一対に限らず、複数個所（例えば４隅部）に更に設けられてもよい。
【００４２】
このように揮散性薬剤が含浸された薬剤保持体１３を備える薬剤揮散装置１０は、保持部材１４を用いて部屋の柱等に掛止されたり、或いはスタンド用片３０上に載置されたりして、所定の箇所（例えば、屋外、トイレ等）に設置されることで、揮散性薬剤が薬剤保持体１３及び揮散口１７、２３を介して容器１１、１２外部に揮散し、例えば飛翔性害虫等を防除する。
【００４３】
以上説明したように、本実施形態によれば、薬剤保持体１３が、揮散性薬剤供給部１８ａ、１８ｂの平板部２５ａ、２５ｂの面部と皿形状部２０ａ、２０ｂの底部との間に挟まれて位置しており、そしてその皿形状部２０ａ、２０ｂの底部には複数の貫通孔３２が設けられている。このため、揮散性薬剤の供給を行う際には、まず皿形状部２０ａ、２０ｂに揮散性薬剤が注入され、この皿形状部２０ａ、２０ｂに一時的に貯留した揮散性薬剤が、その底部に設けられた複数の貫通孔３２を介して、薬剤保持体１３に供給されることになる。このとき、薬剤保持体１３が、揮散性薬剤供給部１８ａ、１８ｂの平板部２５ａ、２５ｂの面部と皿形状部２０ａ、２０ｂの底部との間に挟まれているので、例えば毛細管現象に従って、揮散性薬剤がこの挟持面の面方向で放射状に薬剤保持体に拡がって拡散・含浸されていくことになる。したがって、ネット状の薬剤保持体１３に揮散性薬剤を効率良く多量に拡散・含浸させて、害虫防除効果の向上を図ると共に、加えて製造時等の揮散性薬剤の供給効率を高めることができる
【００４４】
また、本実施形態によれば、複数の貫通孔３２が皿形状部２０ａ、２０ｂの底部の縁部近傍に、円周方向にわたって略等間隔に配設されているので、底部の中央部に設けた場合と比較して、貫通孔３２を介した薬剤保持体１３への供給量と薬剤保持体１３の挟持部分を介した薬剤保持体１３全体への含浸量とを適切に調整することができ、揮散性薬剤の垂れを防止して、ネット状の薬剤保持体１３に揮散性薬剤をさらに効率良く拡散・含浸させることができる。また、製造時等、揮散性薬剤の垂れを防止することができるので、無駄を防止することができて供給効率を高めることができる。
【００４５】
さらに、本実施形態によれば、着脱自在な保持部材１４を更に備えることにより、薬剤揮散装置１０が必要とされる設置箇所（例えば、屋外、トイレ等）に適宜設置することができて、取扱性の向上を図ることができる。特に、この保持部材１４が略コ字形状の板部材により形成され、且つこの板部材の互いに対向する側板部２７の中央部各々には、スリット２９を介して折り曲げ自在なスタンド用片３０が設けられているので、この保持部材１４は所謂ハンガーとしてぶら下げて用いたり、或いは薬剤揮散装置１０から取り外してから所謂スタンドとしてテーブルや机等に立てたりして用いることができて、さらに取扱
性の向上を図ることができる。
【実施例１】
【００４６】
次に、第１発明に係る薬剤揮散装置の作用効果を確認するために行った実施例について説明する。
【００４７】
＜揮散性薬剤の垂れ試験＞
以下に示すように、第１発明に係る皿形状部２０ａ、２０ｂの底部に複数の貫通孔を有した２種類の薬剤揮散装置（実施例１、２）と、皿形状部２０ａ、２０ｂの底部に１つの貫通孔を有した薬剤揮散装置（比較例１）、皿形状部２０ａ、２０ｂを有していない薬剤揮散装置（比較例２）と、を用意し、これら揮散性薬剤供給部１８ａ、１８ｂそれぞれに、１４０μＬの揮散性薬剤｛組成：メトフルトリン（１５０ｍｇ）、プロフルトリン（１００ｍｇ）、流動パラフィン（１００ｍｇ）｝を注入し、注入直後と注入後（２４時間後）とにおける、薬剤揮散装置の内部及び外部における垂れ量を測定した。この試験結果を表１に示す。
（本試験のため用意された薬剤揮散装置）
なお、下記に示す揮散性薬剤供給部１８ａ，１８ｂの皿形状部２０ａ，２０ｂはいずれも約１ｍｍの深さに設定されている。
［実施例１］：揮散性薬剤供給部１８ａ，１８ｂの皿形状部２０ａ，２０ｂの底部の縁部近傍に４個の貫通孔３２（径：２ｍｍ）を円周方向に等間隔に設けたもの（図５参照）
［実施例２］：揮散性薬剤供給部１８ａ，１８ｂの皿形状部２０ａ，２０ｂの底部の縁部近傍に６個と、底の中央に１個、との計７個の貫通孔５２（径：２ｍｍ）が設けられたもの（図７参照）
［比較例１］：揮散性薬剤供給部１８ａ，１８ｂの皿形状部２０ａ，２０ｂの底部中央に単一の貫通孔５１（径：２ｍｍ）が設けられたもの（図６参照）
［比較例２］：図８に示すように、揮散性薬剤供給部１８ａ，１８ｂに皿形状部が設けられず、そのまま円形状の貫通孔５３（径：１３ｍｍ）が設けられたもの（図８参照）
【００４８】
【表１】
2010029173.tif 000003
【００４９】
表１により明らかなように、比較例２は、２４時間後に、２５．８μＬの垂れが生じた。この垂れ量は、全添加量の１８％に当たるために、例えばその製造時等において揮散性薬剤が多量に無駄になり効率が悪いことがわかった。
これに対して、実施例１、実施例２、比較例１は、いずれも垂れが発生しなかった。しかしながら、比較例１は、揮散性薬剤の垂れは認められなかったものの、揮散性薬剤の薬剤保持体への拡散・含浸が不十分であり、皿形状部２０ａ、２０ｂに揮散性薬剤の多くが貯留されたままであった。これは、皿形状部２０ａ、２０ｂの周縁近傍の内周面における
揮散性薬剤の液保持力が依然として高い状態のままであり、貫通孔５１を介した薬剤保持体１３への供給が不十分になったためだと推測される。一方、底部の周縁部に貫通孔３２、５２が設けられる実施例１及び実施例２は、その位置によりその液保持力の影響を受けないので薬剤保持体１３への供給が十分になったものと推測される。
なお、所定時間後に両容器１１、１２を開放して薬剤保持体１３への揮散性薬剤の拡散性・含浸性を調べたところ、事実、実施例１、実施例２が、比較例１と比べて、薬剤保持体１３への薬剤の拡散性・含浸性が良好であり、ネット状の薬剤含浸体に効率よく拡散していることがわかった。
【００５０】
＜処方例＞
また、第１発明に係る揮散性薬剤の処方としては以下のものが挙げられる。
［処方例１］
メトフルトリン      １５０ｍｇ
トランスフルトリン  ５０ｍｇ
流動パラフィン      １００ｍｇ
［処方例２］
メトフルトリン      ５０ｍｇ
プロフルトリン      １００ｍｇ
流動パラフィン      ３００ｍｇ
無水ケイ酸          ９ｍｇ
［処方例３］
エムペンスリン      １００ｍｇ
プロフルトリン      ５０ｍｇ
流動パラフィン      １００ｍｇ
［処方例４］
ローズマリーオイル  １００ｍｇ
流動パラフィン      ５０ｍｇ
［処方例５］
緑茶抽出物          ０．１ｍｇ
柿抽出液            ５０ｍｇ
エタノール          ３０ｍｇ
［処方例６］
ラウリルメタアクリレート  ５０ｍｇ
エタノール          ３０ｍｇ
【００５１】
なお、第１発明は、前述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
例えば、前述した実施形態では、Ｖ字状をなす揮散口１７，２３を複数有する樹脂材料の容器１１，１２として説明したが、本発明に係る容器は通気性を有する揮散口が設けられていればよく、例えば全体又は一部が格子状（ネット状を含む）に形成したものでもよく、この場合には、人（特に幼児）の指と薬剤保持体１３との接触をより確実に防止することができてよい。さらに、容器１１，１２の前面、後面に揮散口１７，２３を設けたが、薬剤保持体１３が外れないように、例えばその周壁等に更に設けるようにしてもよい。
また、前述した実施形態では、着脱自在の保持部材１４を備える構成としたが、これに限らず、容器１１，１２の周壁、容器１１，１２の前面・後面に、揮散口を塞がないように、例えば貼付粘着剤、クリップ等の装置支持部を取り付けるように構成してもよい。
【００５２】
〈第２発明［漏れ防止対策］を実施するための最良の形態〉
第２発明は組成物に係り、揮散性薬剤と共に、薬剤保持体に該揮散性薬剤を拡散・含浸させるために漏れ防止として無機粉が含有されたことを特徴としている。
そして、その組成物を請求項１記載の薬剤揮散装置の揮散性薬剤供給手段に供給することにより、揮散性薬剤が薬剤保持体に拡散して含浸し、無機粉が揮散性薬剤供給手段に留まるようになることを特徴としている。
ここで「揮散性薬剤供給手段」とは「薬液を受けるための手段（皿、トレー、シャーレ、ロート、シートなど）を言う。
【００５３】
蒸散材用拡散・含浸剤組成物の有効成分として無機粉（例えば二酸化珪素粉および/又は無水ケイ酸粉）を例示できるが、これらの少なくとも１種を薬液に配合することで、薬液は基材のカバーに設けられた滴下用枠内に滴下するが該枠内からはみ出すことなしに該枠内を出発点として通風性のある基材を極めて効率よく拡散・含浸する作用を有するものであれば二酸化珪素粉および/又は無水ケイ酸粉と同様の無機粉に替えることができる。そのような無機物として、例えば、ベントナイト、ラポナイト、セピオライト、スクメタイト、ケイ酸アルミニウムマグネシウム、ヘクトライト、ゼオライト、カオリン、及びこれらの鉱物に第４アンモニウムなどを結合させた有機鉱物等を挙げることができる。
また、無機粉の比重および粒径は、例えば無水ケイ酸で、その比重が０．０３〜０．１０ｇ／ｍｌ、粉径が０．５〜１０μｍのものが好ましい。
【００５４】
蒸散材用拡散・含浸剤組成物を用いた薬液処理方法において、基材（薬剤保持体）としては、網（網目）状、ネット状、格子状等の形態で通風性のある紙、不織紙、布、之等と他の無機及び有機繊維乃至合成樹脂との積層シートや発泡シート等を例示でき、特に前記有機溶媒溶液を吸収し易いものが好ましい。
【００５５】
薬液に利用される有機溶媒としては、各種のアルコール類、エステル類、エーテル類、ケトン類、含窒素化合物等が包含される。之等の有機溶媒はその１種を単独で用いることもでき、２種以上を併用することもできる。更にそれらの利用に際し、常温で固体の化合物はこれらを上記有機溶媒又は他の固体と混合して液化して使用することもできる。
【００５６】
前記有機溶媒の使用量は、基材の吸油量によって異なり、該基材として通風性のあるシート材（約１００ｇ／ｍ2）を用いる場合、約０．３〜１０．０ｍｇ／ｃｍ2程度が基材に含浸される量の範囲から選択されるのが適当である。
【００５７】
薬液に配合される有害生物防除剤等としては、防虫剤、殺虫剤、忌避剤、芳香剤、消臭剤等のいずれであってもよい。之等の代表例としては、例えばパラジクロロベンゼン、ナフタレン、樟脳等の防虫剤、アレスリン、フラメトリン、フタルスリン、エムペントリン、テラレトリン、レスメトリン、ペルメトリン、フェノトリン、フェニトロチオン、フェンバレレート、エトック、トランスフルトリン、メトフルトリン、プロフルトリンこれらの光学及び／又は幾何異性体等のピレスロイド系殺虫剤、O,O−ジメチル Ｏ−（2,2−ジクロロ）ビニルホスフェート等の有機リン系殺虫剤、Ｏ−イソプロポキシフェニルメチルカーバメート、メトキサジアゾン等のカーバメート系殺虫剤、ジ−ノルマル−プロピル イソシンコメロネート、2,3,4,5−ビス（Δ2−ブチレン）−テトラヒドロフルフラール、ジ−ノルマル−ブチル サクシネート（DNBS）、ピリミジン誘導体（５−クロロ−４−アミノ−2,6−ジメチルピリミジン等）ピペリジン誘導体（１−ヘキサノイル−ピペリジン、１−ペンタノイル−2,6−ジメチル−ピペリジン等）、キサントゲン酸誘導体（Ｏ−エチル−Ｓ−ターシャリーブチル−スルフェニル キサントエート等）、アミド類（N,N−ジエチルアセトアミド、N,N−ジエチルメタトルアミド等）、アゼピン誘導体（１−ヘキサノイル ３−ピペコリン、１−ヘキサノイル ２−ピペコリン等）、モルフォリン誘導体（４−ヘキサノイル−2,6−ジメチルモルフォリン等）、ピロリジン誘導体（１−オクタノイルピロリジン等）、キノン類（ナフトキノン、ベンゾキノン等）等の忌避剤、ジャスミン系、ブーケ系等の芳香剤、ラウリル酸メタクリレート、ゲラニルクロトネート等の消臭剤、橙色201号、黄色201号、赤色215号、赤色218号、赤色223号、C.I.ソルベントレッド49、黄色204号、青色403号等の色素等を例示できる。
【００５８】
更に、薬液には必要に応じて、Ｎ−（２−エチルヘキシル）−ビシクロ−［2,2,1］−５−ヘプテン−2,3−ジカルボキシイミド（サイネピリン222:吉富製薬株式会社製）等の効力増強剤や保留剤としても働くピペロニルブトキサイド及び各種着香料等を添加配合可能である。
【実施例２】
【００５９】
以下、第２発明の実施例を挙げて更に詳しく説明するが、第２発明は、これらの実施例に限定されるものではない。
〈漏れ防止試験の目的〉
自然蒸散型ネット製剤は薬液保持部にネットを使用しており、薬液滴下皿に点滴した薬液が徐々にネット全体に拡散することで完成品となる。薬液の点滴からネット全体に拡散するまで、一定の時間が必要であり、その間に強い振動や衝撃が加わると、点滴皿からの薬液漏れが発生することがある。
また、薬液滴下皿の大きさに制限がある場合には、薬液が多ければ、必然的に皿の薬液保持能力を超えてしまい、漏れが発生する。
そこで、薬液の濃度を調整することで安定した薬液の点滴から拡散を行えるようにすることに着目した。
〈漏れ防止試験の方法〉
「供試検体」としてアドソリダー１０１（日本薬局方  軽質無水ケイ酸）を用いて、それぞれ１．０％、１．５％、１．７５％、および２．０％となるように薬液を調製した。
「試験方法」は、実施例１〜４として上記アドソリダー１０１処方調合液を、比較例としてアドソリダ無添加処方調合液をハホネ薬剤滴下皿に１５０μＬ点滴し、１０分後における薬液の漏れを確認した。その際に、滴下皿を地面と水平に保持した場合と、さらに点滴後に垂直にした場合の漏れを確認した。
〈漏れ防止試験の結果〉
アドソリダー濃度と薬液の漏れの関係を表２に示した。
【００６０】
【表２】
2010029173.tif 000004
〈結果の考察〉
アドソリダーを濃度１．０％から２．０％まで添加したいずれの処方においても水平漏れは認められなかった。なかでも１．７５％濃度の調合液が最も最適な物性を示し、それよりも低濃度では点滴後に垂直にした際に薬液の漏れが確認された。
比較例であるアドソリダ無添加処方調合液の場合は、薬液の垂直漏れは勿論、水平漏れも確認された。
【００６１】
〈第３発明［紫外線劣化防止］を実施するための最良の形態〉
第３発明は、常温液状のアルカン又はシクロアルカンが上記したような条件あるいは場所においてもシクロプロパンカルボン酸誘導体を十分安定化することができることを見出して、それに基いてなされたものである。
【００６２】
すなわち、第３発明はシクロプロパンカルボン酸誘導体の光及び／又は紫外線安定化剤に係り、常温液状のアルカン又はシクロアルカンを安定化作用成分として含むことによって上記の目的を達成した。
そして、この光・紫外線安定化剤を上記揮散性薬剤に含有させることで、紫外線に強い薬剤揮散装置が得られることとなった。
本発明で安定化しようとするシクロプロパンカルボン酸誘導体としては、それに包含されることが知られているすべてのものが入るが、例えば、例えば、次のような構造式のメトフルトリン［Ｃ18Ｈ20Ｆ4Ｏ3］、プロフルトリン［Ｃ17Ｈ18Ｆ4Ｏ2］、トランスフルトリン［Ｃ15Ｈ12Ｃｌ2Ｆ4Ｏ2］及び、これらの異性体、類縁体、誘導体を挙げることができる。
【００６３】
【化１】
2010029173.tif 000005
【００６４】
【化２】
2010029173.tif 000006
【００６５】
【化３】
2010029173.tif 000007
【００６６】
上記化合物には、通常用いられる各種の効力増強剤、揮散率向上剤、酸化防止剤、香料、等を添加することができる。
これらの添加剤の上記化合物への配合割合は、剤型、使用場面、適用対象等により異なるが、通常全組成物中に有効成分量あるいは溶解量までの量を配合することができる。
【００６７】
第３発明において、上記化合物の安定化のために用いる常温液状のアルカン又はシクロアルカンとしては、その安定化作用を有するものならばいずれをも用いることができるが、具体的には、流動パラフィンとかミネラルオイルを用いることができる。
【００６８】
第３発明で使用する常温液状のアルカン又はシクロアルカンは、シクロプロパンカルボン酸誘導体に対して等量混合比（1:1）で十分に効果が期待できる。シクロプロパンカルボン酸誘導体に対して常温液状のアルカン又はシクロアルカンを２倍量混合しても効果はほとんど変らない。
【００６９】
また、これらの常温液状のアルカン又はシクロアルカンの組成物（添加剤などを含めたもの）原体に対し添加量は１０〜１００質量％の範囲とすることができるが、特に、２０〜６０質量％とすることが好ましい。
【００７０】
原体が液体の場合は溶剤は要らないが、原体が結晶の場合は必要最少量の溶剤に溶かして使う。第３発明の安定化剤を添加して得られるあるいは第３発明の組成物の剤型としては、具体的には、エタノール、メタノール、水、これらの混合物等の溶媒にシクロプロパンカルボン酸誘導体と適量の安定化剤を溶解して液剤を形成し、使用時に適切な濃度に希釈して噴霧剤として用いたり、LPG（液化天然ガス）やDME（ジメチルエーテル）、圧縮ガス等の噴射剤とシクロプロパンカルボン酸誘導体、安定化剤、及び溶媒からなる液剤とを配合してエアゾール剤として用いることができる。エアゾール剤の場合、全部の剤が一つの容器に入っている１液型の形式の外、噴射剤だけを入れた容器とシクロプロパンカルボン酸誘導体、安定化剤及び溶媒を入れた容器を組合せて用いる、隔離式噴射装置を利用した２液型の形式も用いることができる。この他にポンプデイスペンサーなどを用いてもよい。
【００７１】
さらに、シクロプロパンカルボン酸誘導体、溶媒及び安定化剤を不織布、紙、これらを素材としたネット等に含浸されたシート状の剤型とすることができる。
第３発明安定化剤の添加によって得られる組成物を具体的に適用する場所、すなわち使用場面としては、外光にさらされる病院、薬局、一般家屋又は商店等のガラス窓、例えばショーウインド、又は網戸、あるいは自動販売機の電光表示面、屋内の電灯、又は街灯等の外部照明灯の個所に、シクロプロパンカルボン酸誘導体を適切な濃度で配合された前記組成物を噴霧、塗布等の操作で付着させることにより有効に使用できる。
そのさい、有効にその作用を発揮しうる適用対象としては、処置の必要な生物が例示できる。
【実施例３】
【００７２】
以下、実施例により第３発明を具体的に説明するが、本発明はこれらの実施例のみに限定されるものではない。
シクロプロパンカルボン酸誘導体の経時的分解率をみるため次の安定性試験を行なった。
〈薬剤耐光試験の目的〉
メトフルトリン自然蒸散剤の使用場所として、屋内および屋外を設定しており、屋外使用を想定した場合の耐光性を評価する。
〈薬剤耐光試験の方法〉
「供試検体」として、１００×１００ｍｍに裁断した１５０ｄネット（丸紅）に、以下の実施例（１）〜（４）の薬剤アセトン溶液、すなわち、メトフルトリン１５０ｍｇに流動パラフィン４０Ｓを５０ｍｇ（実施例１）、７５ｍｇ（実施例２）、１００ｍｇ（実施例３）、１５０ｍｇ（実施例４）をそれぞれ添加した溶液を滴下・拡散し、アセトンを揮散させた後、包材（ＰＥＴ単体）で包んだ。また、比較例として、比較例１は流動パラフィン４０Ｓを添加しないメトフルトリン１５０ｍｇのみの液、比較例２は、４−ドデシル−２−ヒドロキシベンゾフェノン添加量１％（１．５ｍｇ）添加した溶液、比較例３は、２−（３−ｔ−ブチル−２−ヒドロキシ−５−メチルフェニル）−５−クロロ−２Ｈ−ベンゾトリアゾー８添加量１％（１．５ｍｇ）添加した溶液とした。
「試験場所」は、日当たりのよい社屋の屋上。
「試験方法」は、上記比較例および実施例１〜４の各供試検体を以下の条件Ａ、Ｂ下で１カ月間放置し、その後、残存薬剤を定量した。
条件Ａ：白紙上に設置し、上からアルミシートで覆った。
条件Ｂ：白紙上にそのまま設置した。
〈薬剤耐光試験の結果〉
流動パラフィン添加量とメトフルトリン残存率の関係を表４に示した。
ここで、メトフルトリン残存率（％）＝（条件Ｂ／条件Ａ）×１００
【表３】
2010029173.tif 000008
〈結果の考察〉
流動パラフィンを添加しない比較例１では残存率２２．５％。ベンゾフェノン系誘導体を添加した比較例２ではメトフルトリン残存率５．３％。トリアゾール系誘導体を添加した比較例３ではメトフルトリン残存率２８．０％、といずれも低いが、流動パラフィンを添加した実施例（１） →（５）では添加量が５０ｍｇ、７５ｍｇ、１００ｍｇ、１５０ｍｇと増加するにつれて、残存率も４２．５％、５７．０％、６１．１％、７０．１％と増加していく関係が認められた。
すなわち、流動パラフィンの添加量とメトフルトリン安定性の関係は図１０のような線図となった。図１０において、横軸は流動パラフィンの添加量（単位ｍｇ）、縦軸はメトフルトリンの残存率（％）である。０％はメトフルトリンのすべてが揮散してメトフルトリンは１ｍｇたりとも残存していないこと、１００％はメトフルトリンがそのまま残存していることを意味する。図１０からは流動パラフィンの添加量が増えれば、メトフルトリンの残存率が高くなることが判り、安定性には正の相関性あることが認められる。
【００７３】
〈パラフィン類とエステル類の耐光試験〉
パラフィンの添加によりメトフルトリンの光分解が抑制されることを見い出した本願発明についてさらに、その有効なパラフィンなどの範囲を設定するため以下のような耐光性試験を行った。
〈メトフルトリンについての光・紫外線に対する安定性試験〉
２０ｍｌの硝子瓶に下記パラフィン類、エステル類を１００μｌ、メトフルトリンを２００μｌを量り取り、密封した後、サンルームにて１ヶ月放置した。所定時間後、内容物を量り取り、これに内部標準の入ったアセント溶液を加え分析用サンプルとした。
実施例１は、光・紫外線安定化剤として出光興産製ＩＰソルベント１６２０（以下、「ＩＰ１６２０」と言う。）、実施例２は、光・紫外線安定化剤として出光興産製ＩＰソルベント２０２８（以下、「ＩＰ２０２８」と言う。）、実施例３は、光・紫外線安定化剤として三光化学製流動パラフィン４０−Ｓである（以下、「流パラ４０Ｓ」と言う。）。
一方、比較例１はフタル酸ジプロピル、比較例２はマレイン酸ジプチル、比較例３はラウリン酸ヘキシルを用い、比較例４はメトフルトリンのみを用いた。
その結果、表４が得られた。
【表４】
2010029173.tif 000009
〈プロフルトリンについての光・紫外線に対する安定性試験〉
上記メトフルトリンについての光・紫外線に対する安定性試験のメトフルトリンに代えてプロフルトリンを用いた。
実施例４は、光・紫外線安定化剤として「流パラ４０Ｓ」を用い、比較例５はメトフルトリンのみを用いた。
その結果、表５が得られた。
【表５】
2010029173.tif 000010
〈考察〉
表４から、実施例１では残存率が８９．２％、実施例２及び３では７７．６％となり、パラフィン類にはメトフルトリンの耐光性を向上させる効果が認められた。
これに対して、比較例１では７３．１％、比較例２では７２．１％、比較例３では６０．８となり、吸光度がより高いと思われていたエステル系化合物に耐光性を向上させる効果が認められなかった。また、比較例４では６９．２となり、同じく耐光性を向上させる効果が認められなかった。
また、表５からは、「流パラ４０Ｓ」を用いたら８３．３％となり、「流パラ４０Ｓ」にプロフルトリンの耐光性を向上させる効果が認められた。
これに対して、比較例５では６７．１となり、耐光性を向上させる効果が認められなかった。
したがってこのことから、本発明が見出したパラフィン類の耐光性を向上させる効果（すなわち、光・紫外線に対する安定作用）が容易に類推できるものではないことが示されたと言える。
【図面の簡単な説明】
【００７４】
【図１】本発明の一実施形態に係る薬剤揮散装置の分解斜視図である。
【図２】図１の薬剤揮散装置の組立後の外観斜視図である。
【図３】図１の薬剤揮散装置の使用例を説明する外観斜視図である。
【図４】揮散性薬剤供給部の断面図である。
【図５】第１の揮散性薬剤供給部の周りの正面図である。
【図６】実施例２に用いたサンプルの揮散性薬剤供給部周りの正面図である。
【図７】実施例３に用いたサンプルの揮散性薬剤供給部周りの正面図である。
【図８】比較例１に用いたサンプルの揮散性薬剤供給部周りの正面図である。
【図９】従来の装置の概略図である。
【図１０】流動パラフィンの添加量とメトフルトリン安定性との関係を示す線図である。
【符号の説明】
【００７５】
１０    薬剤揮散装置
１１    表容器（容器）
１２    裏容器（容器）
１３    薬剤保持体
１４    保持部材（保持手段）
１８ａ  第１の揮散性薬剤供給部（揮散性薬剤供給手段）
１８ｂ  第２の揮散性薬剤供給部（揮散性薬剤供給手段）
２０ａ  第１の皿形状部（皿形状部）
２０ｂ  第２の皿形状部（皿形状部）
２５ａ  第１の平板部（平板部）
２５ｂ  第２の平板部（平板部）
３２    貫通孔
２７    側板部
２９    スリット
３０    スタンド用片
【図１】
2010029173.tif 000011
【図２】
2010029173.tif 000012
【図３】
2010029173.tif 000013
【図４】
2010029173.tif 000014
【図５】
2010029173.tif 000015
【図６】
2010029173.tif 000016
【図７】
2010029173.tif 000017
【図８】
2010029173.tif 000018
【図９】
2010029173.tif 000019
【図１０】
2010029173.tif 000020